(57)【要約】【課題】テンキーの大きさ、間隔を十分に確保し、カーソルの移動、アイコンの選択の誤操作を防止する。【解決手段】カーソル１０２Ａを表示する表示部１０２を上側にキー操作部１０３を下側に有する携帯端末１００に、前記キー操作部と反対側の配置面に配置され、前記配置面と接触する接触面の画像を撮影する光学センサ１０５と、前記光学センサから得た今回と前回の前記接触面の撮影画像から撮影画像の同一部分のずれ量を求める信号処理部１０６と、前記信号処理部で求めた前記撮影画像の同一部分のずれ量に応じて前記カーソルの移動を行うカーソル制御部１０７Ａと、前記キー操作部に含まれ、前記カーソル制御部で移動したカーソルの位置のアイコンを選択する選択キー１０３Ｃとを備える。【選択図】  図１
2004246627.tif 000002
【特許請求の範囲】
【請求項１】
カーソルを表示する表示部を上側にキー操作部を下側に有する携帯端末において、
前記キー操作部と反対側の配置面に配置され、前記配置面と接触する接触面の画像を撮影する光学センサと、
前記光学センサから得た今回と前回の前記接触面の撮影画像から撮影画像の同一部分のずれ量を求める信号処理部と、
前記信号処理部で求めた前記撮影画像の同一部分のずれ量に応じて前記カーソルの移動を行うカーソル制御部と、
前記キー操作部に含まれ、前記カーソル制御部で移動したカーソルの位置のアイコンを選択する選択キーとを備えることを特徴とする携帯端末。
【請求項２】
前記光学センサは、前記携帯端末が置かれた面上を移動する際に移動する面の画像を撮影することを特徴とする、請求項１に記載の携帯端末。
【請求項３】
前記光学センサは、前記光学センサの配置面上を手の指が移動する際に移動する指の画像を撮影することを特徴とする、請求項１に記載の携帯端末。
【請求項４】
前記光学センサの配置面に溝を設け、前記溝は、移動する指を撮影する際に指の移動をガイドすることを特徴とする、請求項１に記載の携帯端末。
【請求項５】
前記カーソル制御部は、前記光学センサの画像撮影について、前記携帯端末が置かれた面上を移動する際に移動する面の画像撮影から前記光学センサの配置面上を手の指が移動する際に移動する指の画像撮影に切り換える場合又はこの逆に撮影を切り換える場合にカーソルの移動の方向を反転させることを特徴とする、請求項１に記載の携帯端末。
【請求項６】
前記信号処理部はＤＳＰで構成されることを特徴とする、請求項１に記載の携帯端末。
【請求項７】
前記携帯端末の端部に赤外線データモジュールを設け、さらに、前記携帯端末の充電器に前記赤外線モジュールの受光部を設け、前記充電器とパーソナルコンピュータを接続し、前記赤外線データモジュールは前記信号処理部で求めた前記携帯端末の移動量をマウスのデータとして前記受光部を介して前記パーソナルコンピュータに送信することを特徴とする、請求項１に記載の携帯端末。
【請求項８】
前記携帯端末は、前記表示部のカーソルを移動するデータの送信先、又は、パーソナルコンピュータのマウスデータの送信先を択一的に選択して、前記信号処理部により求められる前記携帯端末の移動量を選択された送信先に出力することを特徴とする、請求項１に記載の携帯端末。
【請求項９】
カーソルを表示する表示部を上側にキー操作部を下側に有する携帯端末のカーソル移動方法において、
前記キー操作部と反対側の面に配置され、前記携帯端末が置かれた面上を移動する際に移動する面の画像を光学センサで撮影する工程と、
前記光学センサから得た今回と前回の撮影画像から撮影画像の同一部分のずれ量を求める工程と、
前記光学センサの検出信号を処理して前記撮影画像のずれから前記携帯端末の移動量を求める工程と、
求めた前記撮影画像の同一部分のずれ量に応じて前記カーソルの移動を行う工程と、
前記キー操作部に選択キーを配置する工程と、
前記選択キーで移動した前記カーソルの位置のアイコンを選択する工程とを備えることを特徴とする携帯端末のカーソル移動方法。
【発明の詳細な説明】
【０００１】
【発明が属する技術分野】
本発明は携帯端末の入力方式に関する。特に、本発明は、光学センサからの入力により携帯端末の画面のカーソルを移動する方法に関する。
【０００２】
【従来の技術】
従来の対置したタッチパッドを具備する選択呼出無線機では、ディスプレイを表面に搭載し、タッチパッドを反対面に搭載し、タッチパッド上での左から右へのタッチ移動は、ディスプレイ上では右から左へのポインタ移動になるようにし、さらに、縦軸方向のタッチ移動成分は、ディスプレイ上で逆方向のポインタ移動となるようにしている（例えば、特許文献１参照。）。
【０００３】
また、従来の背面手書き入力機能を有する携帯電話機では、装置本体の背面部に情報入力手段としてタッチパネルを備え、タッチパネルからの入力操作により、表示部の表示画面内でのカーソルポインタの移動を可能にしているものもある（例えば、特許文献２参照。）。
また、従来の携帯電話装置では、携帯電話装置本体から一部を露出させたボールを取り付け、ボールの露出部を机などの上に接触させつつ携帯電話装置を動かし、ボールの回転数の検出により、２次元移動量を検出して、携帯電話装置にノート型パーソナルコンピュータ等のマウスの機能を持たせている（例えば、特許文献３参照。）。
【０００４】
【特許文献１】
特表２０００−５１５７０２号公報（第７−８頁、第１、２図）
【特許文献２】
特開２０００−２７８３９１号公報（段落００１４、００１５、図１）
【特許文献３】
特開２００１−２３７９４１号公報（段落００３４、００３５、００３８、図１、図４、図５）
【０００５】
図１２は本発明の前提となる携帯端末の概略外観示す図である。本図に示すように、携帯端末１００には、その上側にＬＣＤ（液晶ディスプレイ）で構成される表示部１０２が配置され、その下側にキー操作部１０３が設けられる。
キー操作部１０３には数字、文字等の入力を行い、表示部１０２に表示させるテンキー１０３Ａ、表示部１０２の画面におけるカーソルの移動を行う十字キー１０３Ｂが設けられる。
【０００６】
図１３は図１２における十字キー１０Ｂの動作を説明する図である。本図（ａ）に示すように、十字キー１０３Ｂの右端、左端、上端、下端、中央はスイッチになっており、本図（ｂ）に示すように、十字キー１０３Ｂの右端が押下されるとその都度表示部１０２のカーソル１０２Ａが右方向に移動され、左端が押下されるとその都度カーソル１０２Ａが左方向に移動され、上端が押下されるとその都度カーソル１０２Ａが上方向に移動され、下端が押下されるとその都度カーソル１０２Ａが下方向に移動される。
【０００７】
十字キー１０３Ｂの中央が押下されると、カーソルが位置するアイコンの機能が選択される。文字入力の場合には、テンキー１０３Ａから入力があると数字、文字等が表示部１０２に表示される。
【０００８】
【発明が解決しようとする課題】
ところで、近年、上記の携帯端末の小型化が著しく、これに伴って、キー操作部１０３も小さくなるが、十字キー１０３Ｂを小さくすると、カーソルの移動をしたつもりがアイコンの選択となったり、アイコンの選択をしたつもりがカーソルの移動となる誤操作が増加するので、十字キー１０３Ｂをあまり小さくすることができない。このため、キー操作部１０３に含まれるテンキー１０３Ａの大きさが小さくなり、テンキー１０３Ａの間隔が小さくなり、テンキー１０３Ａが使用しにくくなるという問題がある。
【０００９】
したがって、本発明は上記問題点に鑑みて、テンキー１０３Ａの大きさ、間隔を十分に確保でき、かつ、カーソルの移動、アイコンの選択の誤操作を防止できる携帯端末及びそのカーソル移動方法を提供することを目的とする。
【００１０】
【課題を解決するための手段】
本発明は前記問題点を解決するために、カーソルを表示する表示部を上側にキー操作部を下側に有する携帯端末において、前記キー操作部と反対側の配置面に配置され、前記配置面と接触する接触面の画像を撮影する光学センサと、前記光学センサから得た今回と前回の前記接触面の撮影画像から撮影画像の同一部分のずれ量を求める信号処理部と、前記信号処理部で求めた前記撮影画像の同一部分のずれ量に応じて前記カーソルの移動を行うカーソル制御部と、前記キー操作部に含まれ、前記カーソル制御部で移動したカーソルの位置のアイコンを選択する選択キーとを備えることを特徴とする携帯端末を提供する。
【００１１】
この手段により、携帯端末を机等の上に置き、携帯端末の移動に伴って表示部のカーソルを移動できるので、カーソルを移動するキーをキー操作部に設ける必要がなくなり、カーソルの位置にあるアイコンを選択する選択キーを独立にすることができるので選択キーの大きさを小さくできるので、キー操作部に含まれるテンキーの大きさ、間隔を十分に確保することが可能になり、このため、カーソルの移動、アイコンの選択の誤操作を防止できる
【００１２】
さらに、前記光学センサは、前記携帯端末が置かれた面上を移動する際に移動する面の画像を撮影する。
この手段により、携帯端末を机等の上に置き、携帯端末の移動に伴って表示部のカーソルを移動することが可能になる。
さらに、前記光学センサは、前記光学センサの配置面上を手の指が移動する際に移動する指の画像を撮影する。
【００１３】
この手段により、前記光学センサの配置面上を手の指が移動するに伴って表示部のカーソルを移動することが可能になる。
さらに、前記光学センサの配置面に溝を設け、前記溝は、移動する指を撮影する際に指の移動をガイドする。
この手段により、携帯端末を机等の上に置き、携帯端末を移動しなくても、光学センサと接触する指を移動させることにより、カーソルを表示部の画面で移動することが可能になる。
【００１４】
さらに、前記カーソル制御部は、前記光学センサの画像撮影について、前記携帯端末が置かれた面上を移動する際に移動する面の画像撮影から前記光学センサの配置面上を手の指が移動する際に移動する指の画像撮影に切り換える場合又はこの逆に撮影を切り換える場合にカーソルの移動の方向を反転させる。
この手段により、携帯端末の移動、指の移動のいずれかを選択してカーソルを移動させることを可能にし、携帯端末の移動、指の移動の選択に応じて、カーソルの移動方向を反転させて、ユーザの使用に違和感を与えないようにすることができる。
【００１５】
好ましくは、前記信号処理部はＤＳＰで構成される。
この手段により、光学センサからの今回撮影した画像と、前回撮影した画像とを比較して、それらに含まれる「同一部分」がどれくらいずれたかを求め、携帯端末の移動量、指の移動量を求める高速処理が可能になる。
さらに、前記携帯端末の端部に赤外線データモジュールを設け、前記携帯端末の充電器に前記赤外線モジュールの受光部を設け、前記充電器とパーソナルコンピュータを接続し、前記赤外線データモジュールは前記信号処理部で求めた前記携帯端末の移動量をマウスのデータとして前記受光部を介して前記パーソナルコンピュータに送信する。
【００１６】
この手段により、携帯端末をパーソナルコンピュータのマウスとして利用することが可能になる。さらに、通常、携帯端末に付属する充電器は充電する以外に用途がないが、充電器の用途を拡大することが可能になる。
さらに、前記携帯端末は、前記表示部のカーソルを移動するデータの送信先、又は、パーソナルコンピュータのマウスデータの送信先を択一的に選択して、前記信号処理部により求められる前記携帯端末の移動量を選択された送信先に出力する。
【００１７】
この手段により、カーソルの移動機能、パーソナルコンピュータのマウスの機能を択一的に選択したものに光学センサから入力した検出信号を適用することが可能になり、携帯端末の機能を高めることが可能になる。
さらに、本発明は、カーソルを表示する表示部を上側にキー操作部を下側に有する携帯端末のカーソル移動方法において、前記キー操作部と反対側の面に配置され、前記携帯端末が置かれた面上を移動する際に移動する面の画像を光学センサで撮影する工程と、前記光学センサから得た今回と前回の撮影画像から撮影画像の同一部分のずれ量を求める工程と、前記光学センサの検出信号を処理して前記撮影画像のずれから前記携帯端末の移動量を求める工程と、求めた前記撮影画像の同一部分のずれ量に応じて前記カーソルの移動を行う工程と、前記キー操作部に選択キーを配置する工程と、前記選択キーで移動した前記カーソルの位置のアイコンを選択する工程とを備えることを特徴とする携帯端末のカーソル移動方法を提供する。
【００１８】
この手段により、携帯端末を机等の上に置き、携帯端末の移動に伴って表示部のカーソルを移動できるので、カーソルを移動するキーをキー操作部に設ける必要がなくなり、カーソルの位置にあるアイコンを選択する選択キーを独立にすることができるので選択キーの大きさを小さくできるので、キー操作部に含まれるテンキーの大きさ、間隔を十分に確保することが可能になり、このため、カーソルの移動、アイコンの選択の誤操作を防止できる。
【００１９】
【発明の実施の形態】
以下、本発明の実施の形態について図面を参照して説明する。
図１は本発明に係る携帯端末の概略外形を示す図である。本図（ａ）には携帯端末１００の表側が示され、図１２と比較すると、キー操作部１０３には十字キー１０３Ｂに代わり、選択キー１０３Ｃが設けられ、選択キー１０３Ｃは十字キー１０３Ｂのように移動する機能を持たず、アイコンを選択する機能だけを持つ。
【００２０】
このため、選択キー１０３Ｃの大きさを十字キー１０３Ｂよりも小さくすることができ、これに伴ってキー操作部１０３のテンキー１０３Ａの大きさをその分大きくでき、かつお互いの間隔を大きくすることができるので、テンキー１０３Ａが使用し易くなる。
さらに、本図（ｂ）には携帯端末１００の裏側が示され、テンキー１０３Ａの反対面である携帯端末１００の裏側には光学センサ１０５が設けられ、光学センサ１０５は「イメージセンサ」と呼ばれる素子であり、例えば、携帯端末の移動量を検出する。
【００２１】
図２は図１における携帯端末１００の移動と表示部１０２のカーソル１０２Ａの移動との関係を説明する図である。本図に示すように、携帯端末１００が、例えば、机の上を左又は右方向、前又は後方向に移動すると、携帯端末１００の裏側で下側に位置し、机の面と向かいあう光学センサ１０５は携帯端末の移動量を検出して、検出した移動量に基づいてカーソル１０２Ａが表示部１０２の横（左又は右）方向、縦（下又は上）方向にそれぞれ移動する。
【００２２】
選択キー１０３Ｃは光学センサ１０５により移動したカーソル１０２Ａが示すアイコンの選択を行う。
図３は図１における携帯端末１００のカーソル１０２Ａの移動動作を行う概略構成を示すブロック図である。
本図に示すように、携帯端末１００の制御部１０７には基地局と無線を行う無線部１０１、前述の表示部１０２、キー操作部１０３、着信音を鳴動するスピーカ１０４が接続される。
【００２３】
さらに、制御部１０７には信号処理部１０６を介して光学センサ１０５が接続される。
携帯端末１００の裏側、すなわち、底面に配置された光学センサ１０５は、机の上の模様や、微妙な凹凸を毎秒数千回のスピードで読み取り、携帯端末１００がどの方向にどれくらい移動したかを検出することが可能である。
【００２４】
すなわち、光学センサ１０５の検出では、携帯端末１００の底面から見える画像が撮影し続けられ、携帯端末１００が静止している場合には何度撮影しても同じ画像が撮影されるが、携帯端末１００が少しでも動けば、撮影される画像は直前に撮影したものとは、少しだけ「ずれた」画像となる。
信号処理部１０６は専用のＤＳＰ（Ｄｉｇｉｔａｌ  Ｓｉｇｎａｌ  Ｐｒｏｃｅｓｓｏｒ）で構成され、光学センサ１０５からの検出信号を高速処理し、今撮影した画像と、直前に撮影した画像とを比較して、それらに含まれる「同一部分」がどれくらいずれたかを求める。
【００２５】
制御部１０７のカーソル制御部１０７Ａでは、信号処理部１０６からどの程度携帯端末１００が移動したかのデータを得ると、携帯端末１００の移動量に対応させてカーソル１０２Ａを移動させ、移動後のカーソル１０２Ａを表示部１０２上に表示させる。
なお、カーソル制御部１０７Ａはカーソル１０２Ａの移動時にスピーカ１０４に音を発生させて、カーソル１０２Ａの移動をユーザに知らせるようにしてもよい。
【００２６】
図４は図１における携帯端末１００の一連の動作例を説明するフローチャートである。
ステップＳ２０１において、信号処理部１０６では、携帯端末１００の左右方向移動量を「０」とおく。
ステップＳ２０２において、信号処理部１０６では、携帯端末１００の前後方向移動量を「０」とおく。
【００２７】
ステップＳ２０３において、光学センサ１０５が携帯端末１００の左右方向、前後方向の移動を検出する。
ステップＳ２０４において、上記移動検出の信号を入力して信号処理部１０６が携帯端末１００の左右移動量を算出する。
ステップＳ２０５において、上記移動検出の信号を入力して信号処理部１０６が携帯端末１００の前後移動量を算出する。
【００２８】
ステップＳ２０６において、算出された前後移動量と算出された左右移動量との大小比較を行う。
ステップＳ２０７において、算出された前後移動量が算出された左右移動量よりも大きい場合には、算出された前後移動量と所定値との大小比較を行う。算出された前後移動量が所定値よりも小さいか等しい場合にはステップＳ２１１に進む。
【００２９】
ステップＳ２０８において、算出された前後移動量が所定値よりも大きい場合には、カーソル１０２Ａを表示部１０２の縦方向に移動する。
ステップＳ２０９において、移動時に移動音を発生させる。
ステップＳ２１０において、算出された移動量を「０」とする。
ステップＳ２１１において、携帯端末１００の移動が停止したか否かを判断する。停止していない場合にはステップＳ２０４に進み、上記ステップを繰り返し、停止した場合には処理を終了する。
【００３０】
ステップＳ２１２において、算出された前後移動量が算出された左右移動量よりも小さいか等しい場合には、算出された左右移動量と所定値との大小比較を行う。算出された左右移動量が所定値よりも小さいか等しい場合にはステップＳ２１１に進む。
ステップＳ２１３において、算出された左右移動量が所定値よりも大きい場合には、カーソル１０２Ａを表示部１０２の横方向に移動する。
【００３１】
ステップＳ２１４において、移動時に移動音を発生させ、ステップＳ２１０に進む。
このようにして、本発明によれば、携帯端末１００に取り付けた光学センサ１０５を机等の上で移動させて表示部１０２の画面に表示されたカーソル１０２Ａを移動させるので、従来のように、大きな十字キー１０３Ｂが不要となり、カーソル１０２Ａが位置するアイコンを選択する選択キー１０３Ｃを独立して使用することができるので、選択キー１０３Ｃを小さくすることができる。
【００３２】
なお、光学センサ１０５は机の上だけでなく、掌の上、本の上、鞄の表面上で移動させてもよい。
このため、キー操作部１０３に含まれるテンキー１０３Ａを大きくでき、相互の間隔を大きくできるので、携帯端末１００の小型化に対して、キー操作部１０３の操作が容易になる。
【００３３】
図５は図１の変形例であり、携帯端末１００の裏側を示す図である。本図に示すように、図１と比較して、光学センサ１０５の位置に横方向、縦方向に溝１０８が設けられ、溝１０８は指の横方向、縦方向の移動をガイドする。
光学センサ１０５の上を指が接触して移動する際に、光学センサ１０５が指の指紋を読み取り、指の横方向、縦方向の移動を検出することが可能になる。
【００３４】
このようにして、携帯端末１００を机等の上に置き、携帯端末１００を移動しなくても、光学センサ１０５と接触する指を移動させることにより、カーソル１０２Ａを表示部１０２の画面で移動することが可能になる。
図６は図５における携帯端末１００の動作例を説明するフローチャートである。
【００３５】
本図に示すように、ステップＳ２２１において、選択キー１０３ＣをＯＮにし、ステップＳ２２２において、テンキー１０３Ａの「１」キーをＯＮにする。
ステップＳ２２３において、光学センサ１０５の左右の移動に対してカーソル１０２Ａの左右の移動を反転する。
ステップＳ２２４において、光学センサ１０５の上下の移動に対してカーソル１０２Ａの上下の移動を反転する。
【００３６】
このようにして、携帯端末１００の移動、指の移動のいずれかを選択してカーソルの移動を可能にし、携帯端末１００の移動、指の移動の選択に応じて、カーソル１０２Ａの移動方向を反転させて、ユーザの使用に違和感を与えないようにすることができる。
次に、携帯端末１００をパーソナルコンピュータのマウスとして使用する例を説明する。
【００３７】
図７は図１の他の変形例であり、携帯端末１００の概略外形を示す図である。本図に示すように、図１と比較して、携帯端末１００の上端部に赤外線データモジュール１０９が設けられ、赤外線データモジュール１０９は携帯端末１００が机等の上を移動する際に光学センサ１０５により検出された移動データを赤外線で出力する。
【００３８】
図８は図７の携帯端末１００とパーソナルコンピュータとの関係を説明する図である。
本図に示すように、携帯端末１００を充電する充電器１２０には受光部１２１が装備され、受光部１２１は携帯端末１００の赤外線データモジュール１０９からの赤外線データを受光する。
【００３９】
パーソナルコンピュータ１３０と充電器１２０とは有線で接続され、パーソナルコンピュータ１３０は充電器１２０を介して携帯端末１００から光学センサ１０５で検出され、信号処理部１０６で処理された携帯端末１００の移動量をマウスの信号として入力する。
このようにして、携帯端末１００をパーソナルコンピュータ１３０のマウスとして利用することが可能になる。さらに、通常、携帯端末１００に付属する充電器１２０は充電する以外に用途がないが、充電器１２０の用途を拡大することが可能になる。
【００４０】
また、パーソナルコンピュータ１３０と充電器１２０とはＵＳＢ（Ｕｎｉｖｅｒｓａｌ  Ｓｅｒｉａｌ  Ｂｕｓ）で接続されてもよく、無線のＢｌｕｅｔｏｏｔｈで接続されてもよく、さらに、赤外線で接続されてもよい。
これにより、パーソナルコンピュータ１３０の機能に応じてパーソナルコンピュータ１３０と受光部１２１との接続が可能になる。
【００４１】
図９は図７のさらなる変形例を示す図である。本図に示すように、携帯端末１００が折り畳み型の携帯端末の場合には携帯端末１００を折り畳んでマウスとして使用する場合には、携帯端末１００の裏側であってヒンジ１１０の付近に赤外線データモジュール１０９を設けるようにしてもよい。
図１０は図７における携帯端末１００のカーソル１０２Ａの移動動作、赤外線データモジュール１０９のマウス動作を行う概略構成を示すブロック図である。
【００４２】
本図に示すように、図３と比較して、制御部１０７には赤外線データモジュール／カーソル制御部１０７Ｂが設けられ、さらに、赤外線データモジュール１０９が接続される。
図１１は図１０における赤外線データモジュール／カーソル制御部１０７Ｂの動作例を説明するフローチャートである。
【００４３】
本図に示すように、ステップＳ２３１において、選択キー１０３をＯＮにする。
ステップＳ２３２において、テンキー１０３Ａの「１」キーがＯＮであるか否かを判断する。ＯＮである場合にはステップＳ２３４に進む。
ステップＳ２３３において、テンキー１０３Ａの「１」キーがＯＮでない場合には、携帯端末１００の移動により、表示部１０２のカーソル１０２Ａを移動させる機能を設定し、処理を終了する。
【００４４】
ステップＳ２３４において、さらに、テンキー１０３Ａの「２」キーがＯＮであるか否かを判断する。ＯＮである場合にはステップＳ２３６に進む。
ステップＳ２３５において、テンキー１０３Ａの「２」キーがＯＮでない場合には、指の移動により、表示部１０２のカーソル１０２Ａを移動させる機能を設定し、処理を終了する。
【００４５】
ステップＳ２３６において、テンキー１０３Ａの「２」キーがＯＮである場合には、携帯端末１００の移動により、パーソナルコンピュータ１３０のマウスの機能を設定する。
このようにして、本発明によれば、カーソル１０２Ａの移動機能のうち、携帯端末１００の移動、指の移動を択一的に選択したものに光学センサ１０５から入力した検出信号を用いることが可能になり、さらに、カーソル１０２Ａの移動機能、パーソナルコンピュータ１３０のマウスの機能を択一的に選択したものに対し光学センサ１０５から入力した撮影画像を適用することが可能になり、携帯端末１００の機能を高めることが可能になる。
【００４６】
【発明の効果】
以上説明したように、本発明によれば、キー操作部と反対側の面に配置され、携帯端末が置かれた面上を移動する際に移動する面の画像を光学センサで撮影し、光学センサから得た今回と前回の撮影画像から撮影画像の同一部分のずれ量を求め、光学センサの検出信号を処理して撮影画像のずれから携帯端末の移動量を求め、求めた撮影画像の同一部分のずれ量に応じてカーソルの移動を行い、キー操作部に選択キーを配置し、選択キーで移動したカーソルの位置のアイコンを選択するようにしたので、携帯端末を机等の上に置き、携帯端末の移動に伴って表示部のカーソルを移動でき、カーソルを移動するキーをキー操作部に設ける必要がなくなり、カーソルの位置にあるアイコンを選択する選択キーを独立にすることができるので選択キーの大きさを小さくできるので、キー操作部に含まれるテンキーの大きさ、間隔を十分に確保することが可能になり、このため、カーソルの移動、アイコンの選択の誤操作を防止できる。
【００４７】
さらに、信号処理部はＤＳＰで構成されるので、光学センサからの撮影画像を高速処理し、今撮影した画像と、直前に撮影した画像とを比較して、それらに含まれる「同一部分」がどれくらいずれたかを求め、携帯端末の移動量、指の移動量を求めることが可能になる。
さらに、携帯端末の端部に赤外線データモジュールを設け、携帯端末の充電器に赤外線モジュールの受光部を設け、充電器とパーソナルコンピュータを接続し、赤外線データモジュールは信号処理部で求めた携帯端末の移動量をマウスのデータとして受光部を介してパーソナルコンピュータに送信するようにしたので、携帯端末をパーソナルコンピュータのマウスとして利用することが可能になる。
【００４８】
さらに、通常、携帯端末に付属する充電器は充電する以外に用途がないが、充電器の用途を拡大することが可能になる。
【図面の簡単な説明】
【図１】本発明に係る携帯端末の概略外形を示す図である。
【図２】図１における携帯端末１００の移動と表示部１０２のカーソル１０２Ａの移動との関係を説明する図である。
【図３】図１における携帯端末１００のカーソル１０２Ａの移動動作を行う概略構成を示すブロック図である。
【図４】図１における携帯端末１００の一連の動作例を説明するフローチャートである。
【図５】図１の変形例であり、携帯端末１００の裏側を示す図である。
【図６】図５における携帯端末１００の動作例を説明するフローチャートである。
【図７】図１の他の変形例であり、携帯端末１００の概略外形を示す図である。
【図８】図７の携帯端末１００とパーソナルコンピュータとの関係を説明する図である。
【図９】図７のさらなる変形例を示す図である。
【図１０】図７における携帯端末１００のカーソル１０２Ａの移動動作、赤外線データモジュール１０９のマウス動作を行う概略構成を示すブロック図である。
【図１１】図１０における赤外線データモジュール／カーソル制御部１０７Ｂの動作例を説明するフローチャートである。
【図１２】本発明の前提となる携帯端末の概略外観示す図である。
【図１３】図１２における十字キー１０Ｂの動作を説明する図である。
【符号の説明】
１００…携帯端末
１０１…無線部
１０２…表示部
１０２Ａ…カーソル
１０３…キー操作部
１０３Ａ…テンキー
１０３Ｃ…選択キー
１０４…スピーカ
１０５…光学センサ
１０６…信号処理部
１０７…制御部
１０７Ａ…カーソル制御部
１０７Ｂ…赤外線データモジュール／カーソル制御部
１０８…溝
１０９…赤外線データモジュール
１２０…充電器
１２１…受光部
１３０…パーソナルコンピュータ
【図１】
2004246627.tif 000003
【図２】
2004246627.tif 000004
【図３】
2004246627.tif 000005
【図４】
2004246627.tif 000006
【図５】
2004246627.tif 000007
【図６】
2004246627.tif 000008
【図７】
2004246627.tif 000009
【図８】
2004246627.tif 000010
【図９】
2004246627.tif 000011
【図１０】
2004246627.tif 000012
【図１１】
2004246627.tif 000013
【図１２】
2004246627.tif 000014
【図１３】
2004246627.tif 000015